(57)【特許請求の範囲】
【請求項１】
電源信号及び重畳信号の伝送に使用され、
給電電源、給電側機器、及び受電側機器を含み、
前記給電電源は、前記給電側機器に接続され、前記給電側機器は、同軸ケーブルによって前記受電側機器に接続され、
前記給電側機器は、第１のアクティブインダクタモジュール、第１のコンデンサモジュール、および前記第１のコンデンサモジュールに接続された信号処理モジュールを含み、
前記第１のアクティブインダクタモジュールは、前記給電電源から伝送された直流信号を受信し、前記同軸ケーブルによって前記直流信号を前記受電側機器に伝送し、
前記第１のコンデンサモジュールは、前記同軸ケーブルによって伝送された重畳信号を受信し、前記重畳信号を前記信号処理モジュールに伝送し、
前記受電側機器は、第２のアクティブインダクタモジュール、第２のコンデンサモジュール、および前記第２のコンデンサモジュールに接続された信号収集モジュールを含み、
前記第２のアクティブインダクタモジュールは、前記同軸ケーブルによって前記給電側機器から伝送された前記直流信号を受信し、前記直流信号を前記信号収集モジュールに伝送し、
前記信号収集モジュールは、前記重畳信号を収集し、前記重畳信号を前記第２のコンデンサモジュールに送信し、
前記第２のコンデンサモジュールは、前記同軸ケーブルによって前記重畳信号を前記給電側機器に送信し、
前記給電側機器は、第１の検出モジュールをさらに含み、前記第１の検出モジュールは、前記受電側機器の作動パラメータを検出し、
前記第１の検出モジュールは、第１の検出抵抗と第１の電圧比較器を含み、
前記第１の検出抵抗の一端は、前記給電電源の出力端に接続され、前記第１の検出抵抗の他端は、前記第１の電圧比較器と前記同軸ケーブルに接続され、
前記第１の検出抵抗と前記受電側機器は、前記給電電源から供給された電圧を分圧し、
前記第１の電圧比較器は、前記第１の検出抵抗の他端で検出された第１の分圧電圧、及び予め設定された基準電圧に基づいて、比較結果を出力し、
前記給電側機器は、制御モジュールをさらに含み、前記制御モジュールは、前記比較結果に基づいて、前記受電側機器の作動パラメータを確定する、
信号伝送システム。
【請求項２】
前記制御モジュールは、前記受電側機器への電力供給を行うように制御し、または前記受電側機器への電力供給を停止するように制御する、
請求項１に記載の信号伝送システム。
【請求項３】
前記給電側機器は、電流検出モジュール、プラグイン検出モジュールのうちの少なくとも１つをさらに含み、
前記制御モジュールは、前記作動パラメータに基づいて、前記受電側機器への電力供給量を制御し、
前記電流検出モジュールは、前記給電電源から伝送された前記直流信号を受信し、前記直流信号を検出し、
前記プラグイン検出モジュールは、前記受電側機器から伝送された前記重畳信号を検出し、前記重畳信号が検出されない場合、前記受電側機器への電力供給を停止するように制御することを前記制御モジュールに通知し、または、前記プラグイン検出モジュールは、前記給電電源から伝送された直流信号を受信し、前記直流信号が０である場合、前記受電側機器への電力供給を停止するように制御することを前記制御モジュールに通知する、
請求項２に記載の信号伝送システム。
【請求項４】
前記電流検出モジュールは、第２の検出抵抗、演算増幅器、第１のスイッチ、第３の検出抵抗、およびサンプリングモジュールを含み、
前記第２の検出抵抗は、前記給電電源と受電側機器との間に直列に接続され、前記第２の検出抵抗は、前記演算増幅器に並列に接続され、前記演算増幅器の出力端は、前記第１のスイッチに接続され、前記第１のスイッチは、前記第３の検出抵抗の一端に接続され、前記第３の検出抵抗は、前記サンプリングモジュールに並列に接続され、前記第３の検出抵抗の他端は接地され、
前記演算増幅器は、前記第２の検出抵抗の両端における第１の検出電圧を取得し、前記第１の検出電圧を増幅し、増幅された第１の検出電圧を前記第１のスイッチに伝送することにより、前記第１のスイッチが前記増幅された第１の検出電圧を取得した後にオンにされ、
前記サンプリングモジュールは、前記第１のスイッチがオンにされた後に、前記第３の検出抵抗の両端における第２の検出電圧を取得し、前記第２の検出電圧に基づいて検出電流を確定する、
請求項３に記載の信号伝送システム。
【請求項５】
前記給電側機器は、保護モジュールをさらに含み、
前記保護モジュールは、前記受電側機器の短絡または前記給電側機器の短絡が検出された場合、前記受電側機器への電力供給を停止するように制御する、
請求項１から３のいずれか１項に記載の信号伝送システム。
【請求項６】
前記保護モジュールは、第２のスイッチ、第４の検出抵抗、第５の検出抵抗および第２の電圧比較器を含み、
前記第４の検出抵抗と前記第５の検出抵抗は、前記第１のアクティブインダクタモジュールと受電側機器との間に直列に接続され、前記第２の電圧比較器の入力端は、前記第４の検出抵抗と前記第５の検出抵抗との間の第１の電位点に接続され、前記第２の電圧比較器の出力端は、前記第２のスイッチに接続され、
前記第４の検出抵抗と前記第５の検出抵抗は、前記給電電源から出力された電圧を分圧処理し、
前記第２の電圧比較器は、前記第１の電位点における第２の分圧電圧を第１の基準電圧と比較し、
前記第２の分圧電圧が前記第１の基準電圧より大きい場合、前記第２の電圧比較器は、第１のレベル信号を前記第２のスイッチに出力することにより、前記第２のスイッチをオンにし、
前記第２の分圧電圧が前記第１の基準電圧より小さい場合、前記第２の電圧比較器は、第２のレベル信号を前記第２のスイッチに出力することにより、前記第２のスイッチをオフにする、
請求項５に記載の信号伝送システム。
【請求項７】
前記プラグイン検出モジュールは、第３の電圧比較器及び検出コンデンサを含み、
前記検出コンデンサは、前記受電側機器に接続され、前記検出コンデンサは、前記第３の電圧比較器の入力端に接続され、前記第３の電圧比較器の出力端は、前記制御モジュールに接続され、
前記検出コンデンサは、前記受電側機器から伝送された重畳信号を受信し、前記重畳信号を前記第３の電圧比較器に伝送し、
前記第３の電圧比較器が前記重畳信号を受信した場合、前記第３の電圧比較器の出力端は、第１のレベル信号を出力することにより、前記受電側機器への電力供給を行うように制御することを前記制御モジュールに通知し、
前記第３の電圧比較器が前記重畳信号を受信しない場合、前記第３の電圧比較器の出力端は、第２のレベル信号を出力することにより、前記受電側機器への電力供給を停止するように制御することを前記制御モジュールに通知する、
請求項３に記載の信号伝送システム。
【請求項８】
前記第１のアクティブインダクタモジュールは、第１のコンデンサ、第６の検出抵抗、第７の検出抵抗、および三極管を含み、
前記第１のコンデンサの入力端は、前記給電電源に接続され、前記第１のコンデンサの出力端は、それぞれ前記第６の検出抵抗の一端と前記三極管のＢ極に接続され、前記第６の検出抵抗の他端は、前記受電側機器に接続され、前記第７の抵抗の一端は、前記給電電源に接続され、前記第７の抵抗の他端は、前記三極管のＥ極に接続され、前記三極管のＣ極は、前記受電側機器に接続され、
または、
前記給電電源は、それぞれ前記第６の検出抵抗の一端と前記三極管のＣ極に接続され、前記第１のコンデンサの入力端は、それぞれ前記第６の検出抵抗の他端と前記三極管のＢ極に接続され、前記第１のコンデンサの出力端は、前記受電側機器に接続され、前記第７の抵抗の一端は、前記三極管のＥ極に接続され、前記第７の抵抗の他端は、前記受電側機器に接続される、
請求項１に記載の信号伝送システム。
【請求項９】
前記受電側機器は、フィルタリングモジュールをさらに含み、
前記フィルタリングモジュールは、前記受電側機器によって収集されたビデオ画像を受信し、前記ビデオ画像をフィルタリング処理して前記重畳信号を取得し、前記重畳信号を前記給電側機器に伝送する、
請求項１に記載の信号伝送システム。
【請求項１０】
給電電源は、直流信号を給電側機器に出力することと、
前記給電側機器の第１のアクティブインダクタモジュールは、前記直流信号を受信した後、同軸ケーブルによって前記直流信号を受電側機器に伝送することと、
前記受電側機器の第２のアクティブインダクタモジュールは、前記直流信号を受信した後、同軸ケーブルによって取得された重畳信号を前記給電側機器に伝送することと、
前記給電側機器は、受信した前記重畳信号を解析することと、
前記給電側機器は、第１の検出モジュールをさらに含み、前記第１の検出モジュールは、前記受電側機器の作動パラメータを検出することと、
前記第１の検出モジュールは、第１の検出抵抗と第１の電圧比較器を含み、
前記第１の検出抵抗の一端は、前記給電電源の出力端に接続され、前記第１の検出抵抗の他端は、前記第１の電圧比較器と前記同軸ケーブルに接続され、
前記第１の検出抵抗と前記受電側機器は、前記給電電源から供給された電圧を分圧することと、
前記第１の電圧比較器は、前記第１の検出抵抗の他端で検出された第１の分圧電圧、及び予め設定された基準電圧に基づいて、比較結果を出力することと、
前記給電側機器は、制御モジュールをさらに含み、前記制御モジュールは、前記比較結果に基づいて、前記受電側機器の作動パラメータを確定することと、
を含む、
信号伝送方法。
【請求項１１】
前記給電電源は、直流信号を給電側機器に出力することは、
前記給電電源の交流電源は、交流信号をコンバータに伝送することと、
前記コンバータは、前記交流信号を受信した後、前記交流信号を前記直流信号に変換することと、
前記コンバータは、直流信号を前記給電側機器に出力することと、
を含む、
請求項１０に記載の信号伝送方法。
【発明の詳細な説明】
【技術分野】
【０００１】
本発明は、２０１７年０８月２２日に中国特許庁に提出された出願番号２０１７１０７２６３８０.０、発明の名称「信号伝送システム及び信号伝送方法」の中国特許出願の優先権を主張し、その全ての内容は参照により本明細書に援用する。
【０００２】
本発明は信号伝送システム及び信号伝送方法に関するものである。
【背景技術】
【０００３】
現在、国民経済は高度成長を続け、銀行、デパート、機密機関などの重要な場所の安全を保障するために、ビデオ監視システムなどの信号伝送システムが登場した。ビデオ監視システムは、監視されている場所のマルチメディアデータを収集して伝送することによって、監視されている場所の突発事件の監視と記録を実現した。ビデオ監視システムは、直観性、正確性と情報が豊富な特徴があるので、現在、多くの場所に広く応用されている。
【０００４】
ビデオ監視システムには画像収集機器と画像解析機器が含まれ、実際の使用において、画像収集機器と画像解析機器がそれぞれ給電電源に接続され、給電電源が投入されると作動状態になる。画像収集機器は、ビデオ画像の収集が必要な位置に配置され、作動状態になると、画像収集装置は、その場所のビデオ画像を収集し、収集されたビデオ画像を画像解析機器に伝送し、画像解析機器によってビデオ画像を解析することにより、解析されたビデオ画像を表示する。
【０００５】
画像収集機器の場合、給電電源が画像収集機器に電力を供給する際に、通常、ＡＣ/ＤＣ（Ａｌｔｅｒｎａｔｉｎｇ  Ｃｕｒｒｅｎｔ/Ｄｉｒｅｃｔ  Ｃｕｒｒｅｎｔ、交流/直流）コンバータを使用して、交流電源の交流信号を直流信号に変換することにより、画像収集機器が、直流信号を受信した後、正常に作動できるが、通常、画像収集機器が屋外にあり、交流電源との距離が比較的に長くなり、このようにすると、画像収集機器に電力を供給するときに、電源について画像収集機器の場所までに配線する必要があり、ビデオ監視システムを配置する仕事量を増加し、プロセスが煩雑で、コストが高い。
【発明の概要】
【課題を解決するための手段】
【０００６】
本発明は、関連技術における問題を解決するために、信号伝送システム及び信号伝送方法を提供する。
【０００７】
本発明の実施例の第１の態様によれば、電源信号及び重畳信号の伝送に使用され、
給電電源、給電側機器、及び受電側機器を含み、
前記給電電源は、前記給電側機器に接続され、前記給電側機器は、同軸ケーブルによって前記受電側機器に接続され、
前記給電側機器は、第１のアクティブインダクタモジュール、第１のコンデンサモジュール、および前記第１のコンデンサモジュールに接続された信号処理モジュールを含み、
前記第１のアクティブインダクタモジュールは、前記給電電源から伝送された直流信号を受信し、同軸ケーブルによって前記直流信号を前記受電側機器に伝送し、
前記第１のコンデンサモジュールは、前記同軸ケーブルによって伝送された重畳信号を受信し、前記重畳信号を前記信号処理モジュールに伝送し、
前記受電側機器は、第２のアクティブインダクタモジュール、第２のコンデンサモジュール、および前記第２のコンデンサモジュールに接続された信号収集モジュールを含み、
前記第２のアクティブインダクタモジュールは、前記同軸ケーブルによって前記給電側機器から伝送された前記直流信号を受信し、前記直流信号を前記信号収集モジュールに伝送し、
前記信号収集モジュールは、前記重畳信号を収集し、前記重畳信号を前記第２のコンデンサモジュールに送信し、
前記第２のコンデンサモジュールは、前記同軸ケーブルによって前記重畳信号を前記給電側機器に送信する、
信号伝送システムに関する。
【０００８】
選択肢の一つとして、前記給電側機器は、制御モジュールをさらに含み、前記制御モジュールは、前記受電側機器への電力供給を行うように制御し、または前記受電側機器への電力供給を停止するように制御する。
【０００９】
選択肢の一つとして、前記給電側機器は、第１の検出モジュールをさらに含み、
前記第１の検出モジュールは、前記受電側機器の作動パラメータを検出し、
前記制御モジュールは、前記作動パラメータに基づいて、前記受電側機器への電力供給量を制御し、
および／または、
前記給電側機器は、電流検出モジュールをさらに含み、
前記電流検出モジュールは、前記給電電源から伝送された前記直流信号を受信し、前記直流信号を検出し、
および／または、
前記給電側機器は、プラグイン検出モジュールをさらに含み、
前記プラグイン検出モジュールは、前記受電側機器から伝送された前記重畳信号を検出し、前記重畳信号が検出されない場合、前記受電側機器への電力供給を停止するように制御することを前記制御モジュールに通知し、または、前記プラグイン検出モジュールは、前記給電電源から伝送された直流信号を受信し、前記直流信号が０である場合、前記受電側機器への電力供給を停止するように制御することを前記制御モジュールに通知する。
【００１０】
選択肢の一つとして、前記第１の検出モジュールは、第１の検出抵抗および第１の電圧比較器を含み、
前記第１の検出抵抗の一端は、前記給電電源の出力端に接続され、他端はそれぞれ前記第１の電圧比較器および前記同軸ケーブルに接続され、
前記第１の検出抵抗と前記受電側機器は、前記給電電源から供給された電圧を分圧処理し、
前記第１の電圧比較器は、前記第１の検出抵抗の他端で検出された第１の分圧電圧、及び予め設定された基準電圧に基づいて、比較結果を前記制御モジュールに出力し、
前記制御モジュールは、また、前記比較結果に基づいて、受電側機器の作動パラメータを確定する。
【００１１】
選択肢の一つとして、前記電流検出モジュールは、第２の検出抵抗、演算増幅器、第１のスイッチ、第３の検出抵抗、およびサンプリングモジュールを含み、
前記第２の検出抵抗は、前記給電電源と受電側機器との間に直列に接続され、前記第２の検出抵抗は、前記演算増幅器に並列に接続され、前記演算増幅器の出力端は、前記第１のスイッチに接続され、前記第１のスイッチは、前記第３の検出抵抗の一端に接続され、前記第３の検出抵抗は、前記サンプリングモジュールに並列に接続され、前記第３の検出抵抗の他端は接地され、
前記演算増幅器は、前記第２の検出抵抗の両端における第１の検出電圧を取得し、前記第１の検出電圧を増幅し、増幅された第１の検出電圧を前記第１のスイッチに伝送することにより、前記第１のスイッチが前記増幅された第１の検出電圧を取得した後にオンにされ、
前記サンプリングモジュールは、前記第１のスイッチがオンにされた後に、前記第３の検出抵抗の両端における第２の検出電圧を取得し、前記第２の検出電圧に基づいて検出電流を確定する。
【００１２】
選択肢の一つとして、前記給電側機器は、保護モジュールをさらに含み、前記保護モジュールは、前記受電側機器の短絡または前記給電側機器の短絡が検出された場合、前記受電側機器への電力供給を停止するように制御する。
【００１３】
選択肢の一つとして、前記保護モジュールは、第２のスイッチ、第４の検出抵抗、第５の検出抵抗および第２の電圧比較器を含み、
前記第４の検出抵抗と前記第５の検出抵抗は、前記第１のアクティブインダクタモジュールと受電側機器との間に直列に接続され、前記第２の電圧比較器の入力端は、前記第４の検出抵抗と前記第５の検出抵抗との間の第１の電位点に接続され、前記第２の電圧比較器の出力端は、前記第２のスイッチに接続され、
前記第４の検出抵抗と前記第５の検出抵抗は、前記給電電源から出力された電圧を分圧処理し、
前記第２の電圧比較器は、前記第１の電位点における第２の分圧電圧を第１の基準電圧と比較し、
前記第２の分圧電圧が前記第１の基準電圧より大きい場合、前記第２の電圧比較器は、第１のレベル信号を前記第２のスイッチに出力することにより、前記第２のスイッチをオンにし、
前記第２の分圧電圧が前記第１の基準電圧より小さい場合、前記第２の電圧比較器は、第２のレベル信号を前記第２のスイッチに出力することにより、前記第２のスイッチをオフにする。
【００１４】
選択肢の一つとして、前記プラグイン検出モジュールは、第３の電圧比較器及び検出コンデンサを含み、
前記検出コンデンサは、前記受電側機器に接続され、前記検出コンデンサは、前記第３の電圧比較器の入力端に接続され、前記第３の電圧比較器の出力端は、前記制御モジュールに接続され、
前記検出コンデンサは、前記受電側機器から伝送された重畳信号を受信し、前記重畳信号を前記第３の電圧比較器に伝送し、
前記第３の電圧比較器が前記重畳信号を受信した場合、前記第３の電圧比較器の出力端は、第１のレベル信号を出力することにより、前記受電側機器への電力供給を行うように制御することを前記制御モジュールに通知し、
前記第３の電圧比較器が前記重畳信号を受信しない場合、前記第３の電圧比較器の出力端は、第２のレベル信号を出力することにより、前記受電側機器への電力供給を停止するように制御することを前記制御モジュールに通知する。
【００１５】
選択肢の一つとして、前記第１のアクティブインダクタモジュールは、第１のコンデンサ、第６の検出抵抗、第７の検出抵抗、および三極管を含み、
前記第１のコンデンサの入力端は、前記給電電源に接続され、前記第１のコンデンサの出力端は、それぞれ前記第６の検出抵抗の一端と前記三極管のベースに接続され、前記第６の検出抵抗の他端は、前記受電側機器に接続され、前記第７の検出抵抗の一端は、前記給電電源に接続され、前記第７の検出抵抗の他端は、前記三極管のエミッタに接続され、前記三極管のコレクタは、前記受電側機器に接続され、
または、
前記給電電源は、それぞれ前記第６の検出抵抗の一端と前記三極管のコレクタに接続され、前記第１のコンデンサの入力端は、それぞれ前記第６の検出抵抗の他端と前記三極管のベースに接続され、前記第１のコンデンサの出力端は、前記受電側機器に接続され、前記第７の検出抵抗の一端は、前記三極管のエミッタに接続され、前記第７の検出抵抗の他端は、前記受電側機器に接続される。
【００１６】
選択肢の一つとして、前記受電側機器は、フィルタリングモジュールをさらに含み、
前記フィルタリングモジュールは、前記受電側機器によって収集されたビデオ画像を受信し、前記ビデオ画像をフィルタリング処理して前記重畳信号を取得し、前記重畳信号を前記給電側機器に伝送する。
【００１７】
本発明の実施例の第２の態様によれば、給電電源は、直流信号を給電側機器に出力することと、
前記給電側機器の第１のアクティブインダクタモジュールは、前記直流信号を受信した後、同軸ケーブルによって前記直流信号を受電側機器に伝送することと、
前記受電側機器の第２のアクティブインダクタモジュールは、前記直流信号を受信した後、同軸ケーブルによって取得された重畳信号を前記給電側機器に伝送することと、
前記給電側機器は、受信した前記重畳信号を解析することと、
を含む、
信号伝送方法に関する。
【００１８】
選択肢の一つとして、前記給電電源は、直流信号を給電側機器に出力することは、
前記給電電源の交流電源は、交流信号をコンバータに伝送することと、
前記コンバータは、前記交流信号を受信した後、前記交流信号を前記直流信号に変換することと、
前記コンバータは、直流信号を前記給電側機器に出力することと、
を含む。
【００１９】
本発明の実施例による技術案は、以下の有益な効果を含むことができる。
【００２０】
給電側機器の第１のアクティブインダクタモジュールによって直流信号を受電側機器に伝送し、受電側機器の第２のアクティブインダクタモジュールによって直流信号を取得することにより、給電側機器が受電側機器によって収集された重畳信号を受信すると同時に、受電側機器に電力を供給することもでき、受電側機器と交流電源との間で配線する必要がなく、信号伝送システムを確立する作業量を簡素化し、コストを低減する。
【００２１】
上記の一般的な説明および後述の詳細な説明は、単なる例示的および説明的なものに過ぎず、本発明を限定するものではないことが理解されるべきである。
【図面の簡単な説明】
【００２２】
【図１】例示的な実施例による信号伝送システムの概略構造図である。
【図２】例示的な実施例による給電側機器の概略構造図である。
【図３】例示的な実施例による第１のアクティブインダクタモジュールの概略構造図である。
【図４】別の例示的な実施例による第１のアクティブインダクタモジュールの概略構造図である。
【図５】例示的な実施例による給電側機器の概略構造図である。
【図６】例示的な実施例による第１の検出モジュールの概略構造図である。
【図７】例示的な実施例による電流検出モジュールの概略構造図である。
【図８】例示的な実施例による保護モジュールの概略構造図である。
【図９】例示的な実施例による保護モジュールの概略構造図である。
【図１０】例示的な実施例によるプラグイン検出モジュールの概略構造図である。
【図１１】例示的な実施例による受電側機器の概略構造図である。
【図１２】例示的な実施例による信号伝送方法を示すフローチャートである。
【図１３】例示的な実施例によるコンピュータ装置３００の概略構造図である。
【００２３】
【図１】例示的な実施例による信号伝送システムの概略構造図である。
【図２】例示的な実施例による給電側機器の概略構造図である。
【図３】例示的な実施例による第１のアクティブインダクタモジュールの概略構造図である。
【図４】例示的な実施例による第１のアクティブインダクタモジュールの概略構造図である。
【図５】例示的な実施例による給電側機器の概略構造図である。
【図６】例示的な実施例による第１の検出モジュールの概略構造図である。
【図７】例示的な実施例による電流検出モジュールの概略構造図である。
【図８】例示的な実施例による保護モジュールの概略構造図である。
【図９】例示的な実施例による保護モジュールの概略構造図である。
【図１０】例示的な実施例によるプラグイン検出モジュールの概略構造図である。
【図１１】例示的な実施例による受電側機器の概略構造図である。
【図１２】例示的な実施例による信号伝送方法を示すフローチャートである。
【図１３】例示的な実施例によるコンピュータ装置３００の概略構造図である。
【発明を実施するための形態】
【００２４】
ここで、例示的な実施例を詳細に説明し、その例を図面に示す。以下の説明が図面に関連する場合、特に指示しない限り、異なる図面の同じ数字は同じまたは類似の要素を表す。以下、例示的な実施例で説明された実施形態は、本発明と一致する全ての実施形態を表していない。逆に、それらは、添付の特許請求の範囲に詳述された、本発明のいくつかの態様に一致する装置および方法の例にすぎない。
【００２５】
図１は、例示的な実施例による信号伝送システムの概略構造図であり、図１に示すように、当該信号伝送システムは、給電電源１０１、給電側機器１０２、及び受電側機器１０３を含む。ここで、給電電源１０１は、給電側機器１０２に接続され、給電側機器１０２は、同軸ケーブルによって受電側機器１０３に接続される。以下、各構成部分について説明する。
【００２６】
［給電電源１０１］
図１を参照すると、給電電源１０１は、交流電源１０１１とコンバータ１０１２とを含む。交流電源１０１１の出力端は、コンバータ１０１２の入力端に接続され、コンバータ１０１２の出力端は、給電側機器１０２に接続される。
【００２７】
通常、実際の応用では、直流信号を受信すると、給電側機器は通常の作動状態になるが、給電電源に含まれる電源は交流電源であり、交流電源から伝送された電気信号は交流信号であるため、コンバータによって交流信号を直流信号に変換する必要がある。ここで、コンバータは、ＡＣ/ＤＣ（Ａｌｔｅｒｎａｔｉｎｇ  Ｃｕｒｒｅｎｔ/Ｄｉｒｅｃｔ  Ｃｕｒｒｅｎｔ、交流/直流）変換機器であってもよい。
【００２８】
［給電側機器１０２］
図２を参照すると、給電側機器１０２は、第１のアクティブインダクタモジュール１０２１、第１のコンデンサモジュール１０２２、および信号処理モジュール１０２３を含む。
【００２９】
ここで、第１のアクティブインダクタモジュール１０２１の入力端は、給電電源１０１の出力端に接続され、第１のアクティブインダクタモジュール１０２１の出力端は、受電側機器１０３に接続され、つまり、第１のアクティブインダクタモジュール１０２１の出力端は、同軸ケーブルＭによって受電側機器１０３に接続され、第１のコンデンサモジュール１０２２の入力端は、受電側機器１０３に接続され、つまり、第１のコンデンサモジュール１０２２の入力端は、同軸ケーブルＭによって受電側機器１０３に接続され、第１のコンデンサモジュール１０２２の出力端は、信号処理モジュール１０２３に接続される。以下、給電側機器１０２の各部について説明する。
【００３０】
（１）第１のアクティブインダクタモジュール１０２１を説明する。第１のアクティブインダクタモジュール１０２１は、給電電源から伝送された直流信号を受信し、同軸ケーブルによって直流信号を受電側機器に伝送する。第１のアクティブインダクタモジュールは、信号伝送システムのコアモジュールであり、交流信号に対してハイインピーダンスと表現し、直流信号に対してローインピーダンスと表現し、つまり、交流を通さず直流を通す機能を有する。受電側機器によって収集された信号は重畳信号であり、重畳信号はアナログビデオ信号、デジタルビデオ信号、オーディオ信号、および／または他の非ビデオのアナログ信号などを含むことができる。発明者は、重畳信号が交流信号であり、給電電源によって信号処理モジュールに伝送された電気信号が直流信号であることを認識したので、第１のアクティブインダクタモジュールは、給電電源から伝送された直流信号の通しのみを許可し、信号収集モジュールの重畳信号の通しを禁止し、これにより、直流信号と重畳信号の両方を方向性伝送することができ、このようにすると、同軸ケーブルによって直流信号と重畳信号を伝送する際に、直流信号と重畳信号を同時に伝送でき、且つ直流信号は重畳信号に影響しない。当該重畳信号とは、直流信号のもとで同軸ケーブルに重畳して同期に伝送される信号を意味する。なお、第１のアクティブインダクタモジュールとは、交流信号に対してハイインピーダンスと表現し、直流信号に対してローインピーダンスと表現するモジュールを意味し、すなわち、交流を通さず直流を通す機能を有するモジュールのことであり、その機能はアクティブインダクタに類似し、これは一つのアクティブインダクタであってもよく、複数の電子デバイスからなるモジュールであってもよく、本発明はその内部構造に対して制限しない。
【００３１】
１つ目の実現可能な形態として、図３を参照すると、第１のアクティブインダクタモジュールは、第１のコンデンサＣ１、第６の検出抵抗Ｒ５、第７の検出抵抗Ｒ６、および三極管Ｑ４を含み、三極管Ｑ４は、ベースＢ、コレクタＣ、及びエミッタＥを有する。ここで、三極管のコレクタは、受電側機器に接続される。
【００３２】
第１のコンデンサＣ１の入力端は、給電電源（ｐｏｗｅｒ）に接続され、第１のコンデンサＣ１の出力端は、それぞれ第６の検出抵抗Ｒ５の一端と三極管Ｑ４のベースに接続され、第６の検出抵抗Ｒ５の他端は、受電側機器に接続され、つまり、同軸ケーブルＭによって受電側機器に接続される。第７の検出抵抗Ｒ６は、給電電源及び三極管Ｑ４のエミッタに接続され、図３に示すように、第７の検出抵抗Ｒ６の一端は、給電電源に接続され、第７の検出抵抗Ｒ６の他端は、三極管Ｑ４のエミッタに接続され、三極管Ｑ４のコレクタは、受電側機器に接続され、つまり、同軸ケーブルＭによって受電側機器に接続される。
【００３３】
第１のコンデンサＣ１の入力端は、給電電源（ｐｏｗｅｒ）に接続され、第１のコンデンサＣ１の出力端は、それぞれ第６の検出抵抗Ｒ５の一端と三極管Ｑ４のＢ極に接続され、第６の検出抵抗Ｒ５の他端は、受電側機器に接続され、つまり、同軸ケーブルＭによって受電側機器に接続される。第７の抵抗Ｒ６は、給電電源及び三極管Ｑ４のＥ極に接続され、図３に示すように、第７の抵抗Ｒ６の一端は、給電電源に接続され、第７の抵抗Ｒ６の他端は、三極管Ｑ４のＥ極に接続され、三極管Ｑ４のＣ極は、受電側機器に接続され、つまり、同軸ケーブルＭによって受電側機器に接続される。
【００３４】
２つ目の実現可能な形態として、図４を参照すると、第１のアクティブインダクタモジュールは、第１のコンデンサＣ１、第６の検出抵抗Ｒ５、第７の検出抵抗Ｒ６、および三極管Ｑ４を含み、三極管Ｑ４は、ベースＢ、コレクタＣ、及びエミッタＥを有する。ここで、給電電源（ｐｏｗｅｒ）は、それぞれ第６の検出抵抗Ｒ５の一端と三極管Ｑ４のコレクタに接続され、第１のコンデンサＣ１の入力端は、それぞれ第６の検出抵抗Ｒ５の他端と三極管Ｑ４のベースに接続され、第１のコンデンサＣ１の出力端は、受電側機器に接続され、つまり、同軸ケーブルＭによって受電側機器に接続される。第７の検出抵抗Ｒ６の一端は、三極管のエミッタに接続され、第７の検出抵抗Ｒ６の他端は、受電側機器に接続され、つまり、同軸ケーブルＭによって受電側機器に接続される。
【００３５】
２つ目の実現可能な形態として、図４を参照すると、第１のアクティブインダクタモジュールは、第１のコンデンサＣ１、第６の検出抵抗Ｒ５、第７の検出抵抗Ｒ６、および三極管Ｑ４を含み、三極管Ｑ４は、ベースであるＢ極、コレクタであるＣ極、及びエミッタであるＥ極を有する。ここで、給電電源（ｐｏｗｅｒ）は、それぞれ第６の検出抵抗Ｒ５の一端と三極管Ｑ４のＣ極に接続され、第１のコンデンサＣ１の入力端は、それぞれ第６の検出抵抗Ｒ５の他端と三極管Ｑ４のＢ極に接続され、第１のコンデンサＣ１の出力端は、受電側機器に接続され、つまり、同軸ケーブルＭによって受電側機器に接続される。第７の抵抗Ｒ６の一端は、三極管のＥ極に接続され、第７の抵抗Ｒ６の他端は、受電側機器に接続され、つまり、同軸ケーブルＭによって受電側機器に接続される。
【００３６】
なお、図４は、三極管Ｑ４がＮＰＮ型トランジスタであることを例に説明したものであり、選択肢の一つとして、三極管Ｑ４は、ＰＮＰ型トランジスタであってもよく、実際の状況に応じて他の電子デバイスとの接続方式を調整してもよく、ここで説明を省略する。
【００３７】
実際の適用において、図３及び図４を参照すると、第１のアクティブインダクタモジュールは、インダクタンスＬ２をさらに含むことができ、当該インダクタンスＬ２は、同軸ケーブルに接続され（直接接続しても間接接続してもよい）、このようにすると、第１のアクティブインダクタモジュールのインダクタンスは、以下の式に基づいて求められる。
【００３８】
【数１】
0006976440.tif 000002
【００３９】
ここで、Ｌは、第１のアクティブインダクタモジュールのインダクタンスであり、Ｃ１は、第１のコンデンサのキャパシタンスであり、Ｒ５は、第６の検出抵抗の抵抗であり、Ｒ６は、第７の検出抵抗の抵抗であり、Ｌ２は、インダクタのインダクタンスである。
【００４０】
なお、１つ目の実現可能な形態において、三極管Ｑ４がＰＮＰ型トランジスタであることを例に説明し、２つ目の実現可能な形態において、三極管Ｑ４がＮＰＮ型トランジスタであることを例に説明した。選択可能な実施形態として、上記の図３および図４の第６の検出抵抗および第７の検出抵抗は、いずれもインダクタに置き換えられてもよく、または、一方はインダクタに置き換えられ、他方は抵抗であり、三極管として、ＮＰＮ（電流流入）またはＰＮＰ（電流流出）の三極管を使用してもよく、複数のＮＰＮとＰＮＰの組み合わせで構成されたダーリントン管であってもよい。本発明は、第１のアクティブインダクタモジュールの構成を具体的に限定しない。
【００４１】
（２）第１のコンデンサモジュール１０２２を説明する。第１のコンデンサモジュール１０２２は、同軸ケーブルによって伝送された重畳信号を受信し、重畳信号を信号処理モジュールに伝送する。第１のコンデンサモジュールは、直流信号に対してハイインピーダンスと表現し、交流信号に対してローインピーダンスと表現する特性を有し、つまり、直流を通さず交流を通す機能を有する。重畳信号は交流信号であるため、第１のコンデンサモジュールは、重畳信号の通しのみを許可し、直流信号の通しを禁止し、これにより、直流信号と重畳信号の方向性伝送を確保し、直流信号が伝送中に重畳信号に影響を与えることを避ける。なお、第１のコンデンサモジュールとは、直流信号に対してハイインピーダンスと表現し、交流信号に対してローインピーダンスと表現するモジュールを意味し、すなわち、直流を通さず交流を通す機能を有するモジュールのことであり、その機能はコンデンサに類似し、これは一つのコンデンサであってもよく、複数の電子デバイスからなるモジュールであってもよく、実際の応用では、第１のコンデンサモジュールの実質は、一つのコンデンサ素子であってもよく、本発明の実施例はこれに対して具体的に限定しない。
【００４２】
（３）信号処理モジュール１０２３を説明する。信号処理モジュール１０２３は、受電側機器によって伝送された重畳信号を受信し、重畳信号を解析してフィルタリングし、例示的に、重畳信号がビデオ信号である場合、信号処理モジュール１０２３は、この重畳信号を還元してビデオ画像を取得することにより、表示装置にビデオ画像を表示し、受電側機器と給電側との間の信号伝送を実現することができる。
【００４３】
なお、実際の応用では、給電側機器及び受電側機器の安全を保証するために、給電側機器は、第１の検出モジュール、電流検出モジュール、保護モジュール、プラグイン検出モジュール、及び制御モジュールのうちの少なくとも１つを含むことができる。
【００４４】
ここで、制御モジュールは、受電側機器への電力供給を行うように制御し、または受電側機器への電力供給を停止するように制御する。ここで、受電側機器への電力供給を停止するように制御するのは、給電側機器への給電電源の電力供給を遮断することとすることができる。
【００４５】
第１の検出モジュールは、受電側機器の作動パラメータを検出し、制御モジュールは、作動パラメータに基づいて、受電側機器への電力供給を制御し、つまり、作動パラメータに基づいて、受電側機器への電力供給量(電力供給の大きさとも呼ばれる)を制御し、例えば、制御モジュールは、作動パラメータに基づいて、受電側機器に対し等級を付けることにより、受電側機器の等級に応じて受電側機器への電力供給量を制御する。例示的に、受電側機器が画像撮影用のカメラである場合、第１の検出モジュールを第１のカメラ検出モジュールと呼ぶことができる。
【００４６】
電流検出モジュールは、給電電源から伝送された直流信号を受信し、直流信号を検出する。
【００４７】
プラグイン検出モジュールは、受電側機器から伝送された重畳信号を検出し、重畳信号が検出されない場合、受電側機器への電力供給を停止するように制御することを制御モジュールに通知し、または、プラグイン検出モジュールは、給電電源から伝送された直流信号を受信し、直流信号が０である場合、受電側機器への電力供給を停止するように制御することを制御モジュールに通知する。
【００４８】
図５を参照すると、図５は、給電側機器の概略構造図である。給電側機器は、第１の検出モジュール１０２４、電流検出モジュール１０２５、保護モジュール１０２６、プラグイン検出モジュール１０２７、及び制御モジュール１０２８をさらに含むことができると仮定する。例示的に、第１の検出モジュール１０２４の一端は、給電電源１０１に接続され、第１の検出モジュール１０２４の他端は、制御モジュール１０２８に接続され、第１の検出モジュール１０２４は、同軸ケーブルＭによって受電側機器にも接続され、電流検出モジュール１０２５は、それぞれ給電電源１０１および制御モジュール１０２８に接続され、保護モジュール１０２６は、それぞれ制御モジュール１０２８および電流検出モジュール１０２５に接続され、保護モジュール１０２６はまた、制御モジュール１０２８に接続されてもよく、プラグイン検出モジュール１０２７は、それぞれ給電電源１０１および制御モジュール１０２８に接続され、プラグイン検出モジュール１０２７は、同軸ケーブルＭによって受電側機器にも接続される。なお、図５に示すのは、給電側機器における各モジュール間の接続関係の概略図に過ぎず、実際の使用では、具体的な状況に応じて給電側機器における各モジュール間の接続関係を調整してもよく、例えば、保護モジュール１０２６は、制御モジュール１０２８に接続されなくてもよい。本発明の実施例は給電側機器における各モジュール間の接続関係を限定しない。
【００４９】
以下、図５における給電側機器１０２の各部について説明する。
【００５０】
（４）第１の検出モジュール１０２４を説明する。第１の検出モジュール１０２４は、受電側機器の作動パラメータを検出し、例示的に、給電側機器に電力を供給する前に、受電側機器の作動パラメータを検出し、制御モジュールは、作動パラメータに基づいて受電側機器に対し等級を付ける（例えば、異なる抵抗及び／又は異なる電圧の受電側機器を異なる等級に区分し、異なる等級の受電側機器に対して異なる電力を提供する）ことにより、受電側機器の等級に応じて受電側機器への電力供給、即ち、電力供給量を制御し、受電側機器に印加される電圧が大きすぎて、受電側機器が損傷することを避ける。ここで、作動パラメータは、受電側機器の電圧、パワー、または充電時間などであってもよく、作動パラメータを取得する際には、抵抗を検出する方式、インダクタを検出する方式、コンデンサを検出する方式のうちの少なくとも１つなどに基づいて作動パラメータを検出することができる。これらの抵抗、インダクタ、コンデンサとは、受電側機器自身のデバイスを指す。つまり、受電側機器のデバイスに対する検出に基づいて、受電側機器の作動パラメータを確定することができる。
【００５１】
実際の応用では、検出プロセスを簡素化し、受電側機器の作動パラメータをより簡単に取得するために、抵抗を検出する方式に基づいて作動パラメータを検出することができる。このようにすると、図６を参照すると、抵抗を検出する方式に基づいて作動パラメータを検出する際に、第１の検出モジュールは、第１の検出抵抗Ｒ１１および第１の電圧比較器Ｕ１を含む。ここで、第１の検出抵抗は、第１の電圧比較器に接続され、例示的に、第１の検出抵抗Ｒ１１一端は、給電電源の出力端に接続され、他端はそれぞれ第１の電圧比較器Ｕ１および受電側機器に接続され、つまり、同軸ケーブルＭによって受電側機器に接続される。
【００５２】
第１の検出モジュールが作動しているとき、第１の検出抵抗によって受電側機器の両端における電圧を分圧処理し、分圧により得られた第１の分圧電圧を第１の電圧比較器に入力し、つまり、第１の検出抵抗Ｒ１１と受電側機器（即ち図におけるＲ２２）は、給電電源から供給された電圧を分圧処理。第１の電圧比較器は、第１の検出抵抗の他端で検出された第１の分圧電圧、及び予め設定された基準電圧Ｖｒｅｆに基づいて、比較結果を制御モジュールに出力することにより、制御モジュールは、この作動結果に基づいて、受電側機器の作動パラメータを確定し、さらに、制御モジュールは、この比較結果に基づいて、受電側機器への電力供給量を制御する。
【００５３】
第１の検出モジュールが作動しているとき、第１の検出抵抗によって受電側機器の両端における電圧を分圧処理し、分圧により得られた第１の分圧電圧を第１の電圧比較器に入力し、つまり、第１の検出抵抗Ｒ１１と受電側機器（即ち図におけるＲ２２）は、給電電源から供給された電圧を分圧処理。第１の電圧比較器は、第１の検出抵抗の他端で検出された第１の分圧電圧、及び予め設定された基準電圧Ｖｒｅｆに基づいて、比較結果を制御モジュールに出力することにより、制御モジュールは、この作動結果に基づいて、受電側機器の作動パラメータを確定し、さらに、制御モジュールは、この作動パラメータに基づいて、受電側機器への電力供給量を制御する。
【００５４】
例えば、制御モジュールは、比較結果に基づいて、受電側機器が同軸ケーブルをサポートする機器であるかどうかを確定でき、相応的に、作動パラメータは、指示標識であり、当該指示標識は、受電側機器が同軸ケーブルをサポートする機器であるかどうかを指示する。この比較結果は、高レベル信号と低レベル信号で出力され、例示的に、高レベル信号を１とし、低レベル信号を０とし、制御モジュールが高レベル信号を受信すると、この受電側機器が同軸ケーブルをサポートする機器であると確定し、制御モジュールが低レベル信号を受信すると、この受電側機器が同軸ケーブルをサポートしない機器であると確定する。
【００５５】
なお、運転パラメータは、第１の検出モジュールによって検出されて、制御モジュールに伝送されてもよく、例えば、コンデンサを検出する方式に基づいて作動パラメータを検出する場合、第１の検出モジュールは、受電側機器のキャパシタンスに基づいて、受電側機器の充電時間を確定することができ、相応的に、作動パラメータは充電時間である。作動パラメータは、制御モジュールによって指示情報に基づいて確定されてもよく、この指示情報は、第１の検出モジュールから制御モジュールに出力される情報であり、作動パラメータを反映するために使用され、上記の図６は、第１の検出モジュールから制御モジュールに作動パラメータを反映するために使用される指示情報を出力することを例に説明し、ここで、この指示情報は、第１の電圧比較器から出力された比較結果である。
【００５６】
なお、上述の第１の検出モジュールの構成は例示的なものであり、例えば複数の比較器を含むなどの他の構造を含むこともでき、本発明はこれに対し限定しない。
【００５７】
なお、受電側機器の安全を確保し、受電側機器に対する制御モジュールの制御ミスによる受電側機器の損傷を避け、例えば、受電側機器に印加される電圧が大きすぎて、受電側機器が損傷することを避けるために、受電側機器に第１の検出モジュールを追加する。実際の応用では、信号伝送のプロセスを簡素化し、コストを節約するために、第１の検出モジュールを省略することができ、本発明の実施例はこれに対して具体的に限定しない。
【００５８】
（５）電流検出モジュール１０２５を説明する。電流検出モジュール１０２５は、給電電源から伝送された直流信号を受信し、直流信号を検出する。発明者は、給電電源が給電側機器に電力を供給すると、電流の変動がある可能性があり、電流が大きすぎると、給電側機器が損傷しやすくなることを認識したので、給電側機器が作動している状態で、受電側機器に印加される電流を検出する必要がある。図７を参照すると、電流検出モジュールは、第２の検出抵抗Ｒ３３、演算増幅器Ｕ２、第１のスイッチＱ１、第３の検出抵抗Ｒ４４、およびサンプリングモジュールを含む。ここで、第２の検出抵抗Ｒ３３は、給電電源と受電側機器との間に直列に接続され、つまり、第２の検出抵抗Ｒ３３は、給電電源と同軸ケーブルのインターフェースとの間に直列に接続され、受電側機器は接地され、第２の検出抵抗Ｒ３３は、演算増幅器Ｕ２に並列に接続され、演算増幅器Ｕ２の出力端は、第１のスイッチＱ１に接続され、第１のスイッチＱ１は、第３の検出抵抗Ｒ４４の一端に接続され、第３の検出抵抗Ｒ４４の他端は接地され、第３の検出抵抗Ｒ４４は、サンプリングモジュールに並列に接続される。電流検出モジュールの安全を保証し、電流検出モジュールの短絡を避けるために、電流検出モジュールに負荷を印加することも可能である。
【００５９】
電流検出モジュールが動作すると、給電電源から伝送された直流信号が第２の検出抵抗を流れるときに、第１の検出電圧が発生し、演算増幅器が第１の検出電圧を取得し、第１の検出電圧を増幅し、増幅された第１の検出電圧を第１のスイッチに伝送する。第１のスイッチが増幅された第１の検出電圧を取得した後にオンにされ、第１のスイッチがオンになると、電流検出モジュールにループが形成され、第３の検出抵抗に電流が流れ、これにより、第３の検出抵抗の両端に第２の検出電圧が発生し、サンプリングモジュールは、第２の検出電圧を取得し、第２の検出電圧に基づいて検出電流を確定し、この検出電流は、受電側機器に印加される電流である。制御モジュールは、取得した検出電圧に基づいて、受電側機器への電力供給を行うように制御し、または受電側機器への電力供給を停止するように制御し、あるいは、取得した検出電圧に基づいて、受電側機器への電力供給量を制御する。
【００６０】
実際に実施されると、本発明は、具体的な状況に応じて、対応する電子デバイスを増加または減少させてもよく、例えば、図７において、演算増幅器Ｕ２の二つの入力端には、それぞれ抵抗ＲＧと抵抗ＲＨとが直列に接続されている。
【００６１】
なお、給電側機器の安全を確保し、電流の変動による給電側機器の損傷を避けるために、給電側機器に電流検出モジュールを追加する。実際の応用では、信号伝送のプロセスを簡素化し、コストを節約するために、電流検出モジュールを省略することができ、本発明の実施例はこれに対して具体的に限定しない。
【００６２】
（６）保護モジュール１０２６を説明する。保護モジュール１０２６は、給電側機器の短絡が検出された場合、受電側機器への電力供給を停止するように制御し、例えば、この保護モジュールは、給電電源と受電側機器との間の給電経路にあり、給電側機器の短絡が検出された場合、給電側機器への給電電源の電力供給を直接に遮断し、例えば、給電電源と受電側機器との間の給電経路を遮断する。または、給電側機器の短絡が検出された場合、給電側機器への給電電源の電力供給を遮断することを制御モジュールに通知する。発明者は、給電電源が作動すると、回線の故障や人為的なミス操作によって給電電源の給電経路が短絡（すなわち給電側機器が短絡）したり、受電側機器が短絡したりする可能性があることを認識し、短絡が発生した場合、給電側機器への電力供給を直ちに停止し、給電側機器の損傷を避けるために、給電側機器に保護モジュールを追加することにより、給電側機器または受電側機器は、短絡が発生した場合、受電側機器への電力供給を停止するように制御し、例えば、保護モジュールが制御モジュールに通知することにより、制御モジュールが、給電側機器への給電電源の電力供給を遮断する。
【００６３】
例示的に、図８を参照すると、保護モジュールは、第４の検出抵抗Ｒ５５、第５の検出抵抗Ｒ６６および第２の電圧比較器Ｕ３を含む。ここで、第４の検出抵抗Ｒ５５と第５の検出抵抗Ｒ６６は、第１のアクティブインダクタモジュールと受電側機器との間に直列に接続され、つまり、第１のアクティブインダクタモジュールと同軸ケーブルＭのポートとの間に直列に接続され、受電側機器は接地され、したがって、第５の検出抵抗Ｒ６６は接地され、第２の電圧比較器Ｕ３の入力端は、第４の検出抵抗Ｒ５５と第５の検出抵抗Ｒ６６との間の第１の電位点Ｖに接続され、第２の電圧比較器Ｕ３の出力端は、制御モジュールに接続される。保護モジュールが作動している場合、第４の検出抵抗Ｒ５５と第５の検出抵抗Ｒ６６は、給電電源から出力された電圧を分圧処理して第２の分圧電圧を取得し、第２の分圧電圧を第２の電圧比較器Ｕ３に伝送し、つまり、第４の検出抵抗Ｒ５５と第５の検出抵抗Ｒ６６は、給電電源から出力された電圧を分圧処理するために使用される。第２の電圧比較器は、第２の分圧電圧を受信した後、第２の分圧電圧を第１の基準電圧と比較し、つまり、第２の電圧比較器は、第１の電位点Ｖにおける第２の分圧電圧を第１の基準電圧と比較し、第２の分圧電圧が第１の基準電圧より大きい場合、現在、給電電源から給電側機器に供給される電圧が小さいことを示し、給電側機器が耐えられる電圧範囲を超えないため、第２の電圧比較器Ｕ３は制御モジュールに第１のレベル信号を出力することにより、受電側機器への電力供給を行うように制御することを制御モジュールに通知し、給電側機器への給電電源の電力供給を保持する。第２の分圧電圧が第１の基準電圧より小さい場合、現在、給電電源から給電側機器に供給される電圧が小さすぎることを示し、給電側機器の電流が大きすぎて、給電側機器の電流がすでに耐えられる電流を超え、現在は短絡が発生している可能性が高く、このとき、第２の電圧比較器Ｕ３は制御モジュールに第２のレベル信号を出力することにより、受電側機器への電力供給を停止するように制御することを制御モジュールに通知し、つまり、給電側装置への電力供給を遮断し（例えば、給電側機器と給電電源との間の給電経路を遮断し）、短絡による給電側機器の損傷を避ける。一般的に、給電端機器の第１のアクティブインダクタモジュールは、正常な作動をするとき、その両端の電圧は２Ｖ以下であるため、第１のアクティブインダクタモジュールが正常に作動するときの電圧に基づいて、第２の電圧比較器の第１の基準電圧を設定することができる。
【００６４】
なお、図８は、短絡の保護を実現するために保護モジュールが制御モジュールに接続されることを例に説明し、実現可能な形態において、保護モジュールは、独立して短絡の保護を行うことができ、例えば、保護モジュールは、給電電源と受電側機器との間の給電経路上にあり、保護モジュールは、受電側機器の短絡または給電側機器の短絡が検出されたときに、給電電源と受電側機器との間の給電経路を遮断するために使用される。
【００６５】
図９を参照すると、保護モジュールは、第２のスイッチＫ３、第４の検出抵抗Ｒ５５、第５の検出抵抗Ｒ６６および第２の電圧比較器Ｕ３を含む。ここで、第４の検出抵抗Ｒ５５と第５の検出抵抗Ｒ６６は、第１のアクティブインダクタモジュールと受電側機器との間に直列に接続され、つまり、第１のアクティブインダクタモジュールと同軸ケーブルＭのポートとの間に直列に接続され、受電側機器は接地され、したがって、第５の検出抵抗Ｒ６６は接地され、第２の電圧比較器Ｕ３の入力端は、第４の検出抵抗Ｒ５５と第５の検出抵抗Ｒ６６との間の第１の電位点Ｖに接続され、第２の電圧比較器Ｕ３の出力端は、第２のスイッチＫ３に接続される。保護モジュールが作動している場合、第４の検出抵抗Ｒ５５と第５の検出抵抗Ｒ６６は、給電電源から出力された電圧を分圧処理して第２の分圧電圧を取得し、第２の分圧電圧を第２の電圧比較器Ｕ３に伝送し、つまり、第４の検出抵抗Ｒ５５と第５の検出抵抗Ｒ６６は、給電電源から出力された電圧を分圧処理するために使用される。第２の電圧比較器は、第２の分圧電圧を受信した後、第２の分圧電圧を第１の基準電圧と比較し、つまり、第２の電圧比較器は、第１の電位点Ｖにおける第２の分圧電圧を第１の基準電圧と比較し、第２の分圧電圧が第１の基準電圧より大きい場合、現在、給電電源から給電側機器に供給される電圧が小さいことを示し、給電側機器が耐えられる電圧範囲を超えないため、第２の電圧比較器Ｕ３は第２のスイッチＫ３に第１のレベル信号を出力することにより、第２のスイッチをオンにし、給電側機器への電力供給を行うように制御し、つまり、給電側機器への給電電源の電力供給を保持する。第２の分圧電圧が第１の基準電圧より小さい場合、現在、給電電源から給電側機器に供給される電圧が小さすぎることを示し、給電側機器の電流が大きすぎて、給電側機器の電流がすでに耐えられる電流を超え、現在は短絡が発生している可能性が高く、このとき、第２の電圧比較器Ｕ３は第２のスイッチＫ３に第２のレベル信号を出力することにより、第２のスイッチＫ３をオフにし、給電側機器への電力供給を停止するように制御し、つまり、給電側装置への電力供給を遮断し、短絡による給電側機器の損傷を避ける。
【００６６】
なお、上記の図８および図９において、第１のレベル信号と第２のレベル信号とは、異なる２つのレベル信号である。上記第１のレベル信号は、低レベル信号であってもよく、第２のレベル信号は、高レベル信号であってもよく、ここで、低レベル信号と高レベル信号は相対的な２つの信号であり、つまり、第１のレベル信号は第２のレベル信号に対して低レベル信号であり、第２のレベル信号は第１のレベル信号に対して高レベル信号であり、例えば、第１のレベル信号は０であり、第２のレベル信号は１である。
【００６７】
なお、給電側機器の安全を確保し、回線の故障や人為的なミス操作による給電側機器または受電側機器の内部の短絡によって、給電側機器または受電側機器が損傷することを避けるために、給電側機器に保護モジュールを追加する。実際の応用では、信号伝送のプロセスを簡素化し、コストを節約するために、保護モジュールを省略することができ、本発明の実施例はこれに対して具体的に限定しない。
【００６８】
（７）プラグイン検出モジュール１０２７を説明する。プラグイン検出モジュール１０２７は、給電電源から伝送された直流信号を受信し、受信した直流信号が０である（すなわち信号がない）場合、給電側機器への電力供給を禁止することを制御モジュール制御に通知し、つまり、給電側機器への給電電源の電力供給を遮断することを制御モジュールに通知する。発明者は、受電側機器のユーザが、操作ミスや通常の電源プラグの挿抜により、給電側機器と受電側機器との接続を切断する可能性が高いことを認識し、この際に、給電側機器と受電側機器は信号ループを形成できず、このとき、給電側機器は依然として受電側機器に電力を供給する可能性が高く、受電側機器でのユーザによる帯電操作を避けるために、給電側機器にプラグイン検出モジュールを追加し、受電側機器に対するユーザのプラグイン操作が検出されたときに、自動的に受電側機器への電力供給を遮断する。
【００６９】
回路内に重畳信号が存在するか否かに基づいてユーザのプラグイン操作を検出する際に、プラグイン検出モジュールは、受電側機器から伝送された重畳信号を検出することができ、この重畳信号が検出されない場合、受電側機器への電力供給を停止するように制御することを制御モジュールに通知し、例えば、プラグイン検出モジュールは、同軸ケーブルには重畳信号の伝送が存在するか否かを検出することができ、同軸ケーブルには伝送された重畳信号が存在しない場合、重畳信号が検出されていないと確定し、受電側機器への電力供給を停止するように制御することを制御モジュールに通知する。図１０を参照すると、プラグイン検出モジュールは、第３の電圧比較器Ｕ４及び検出コンデンサＣ２を含むことができ、第３の電圧比較器の出力端は、制御モジュールに接続され、検出コンデンサは、受電側機器に接続され、検出コンデンサは、第３の電圧比較器の入力端に接続され、第３の電圧比較器の出力端は、プラグイン検出モジュールが重畳信号を検出するとき、検出コンデンサは信号収集モジュールから伝送された重畳信号を継続的に受信し、検出コンデンサが重畳信号を受信した場合、重畳信号を第３の電圧比較器Ｕ４に伝送することができ、重畳信号が交流信号であるため、第３の電圧比較器Ｕ４が重畳信号を受信した場合、重畳信号の変化を検出することができ、このとき、制御モジュールに第１のレベル信号を出力することにより、受電側機器への電力供給を行うように制御することを制御モジュールに通知し、制御モジュールが現在の作動状態を維持できるようになる。検出コンデンサが重畳信号を受信していない場合、第３の電圧比較器Ｕ４も重畳信号を受信せず、第３の電圧比較器Ｕ４は重畳信号の変化を検出することができ、このとき、第３の電圧比較器Ｕ４が制御モジュールに第２のレベル信号を出力することにより、受電側機器への電力供給を停止するように制御することを制御モジュールに通知し、例えば、制御モジュールは、給電側機器が現在の給電電源の電力供給を遮断するように制御できるようになる。
【００７０】
回路内に重畳信号が存在するか否かに基づいてユーザのプラグイン操作を検出する際に、プラグイン検出モジュールは、受電側機器から伝送された重畳信号を検出することができ、この重畳信号が検出されない場合、受電側機器への電力供給を停止するように制御することを制御モジュールに通知し、例えば、プラグイン検出モジュールは、同軸ケーブルには重畳信号の伝送が存在するか否かを検出することができ、同軸ケーブルには伝送された重畳信号が存在しない場合、重畳信号が検出されていないと確定し、受電側機器への電力供給を停止するように制御することを制御モジュールに通知する。図１０を参照すると、プラグイン検出モジュールは、第３の電圧比較器Ｕ４及び検出コンデンサＣ２を含むことができ、第３の電圧比較器の出力端は、制御モジュールに接続され、検出コンデンサは、受電側機器に接続され、検出コンデンサは、第３の電圧比較器の入力端に接続され、第３の電圧比較器の出力端は、プラグイン検出モジュールが重畳信号を検出するとき、検出コンデンサは信号収集モジュールから伝送された重畳信号を継続的に受信し、検出コンデンサが重畳信号を受信した場合、重畳信号を第３の電圧比較器Ｕ４に伝送することができ、重畳信号が交流信号であるため、第４の増幅器Ｕ４が重畳信号を受信した場合、重畳信号の変化を検出することができ、このとき、制御モジュールに第１のレベル信号を出力することにより、受電側機器への電力供給を行うように制御することを制御モジュールに通知し、制御モジュールが現在の作動状態を維持できるようになる。検出コンデンサが重畳信号を受信していない場合、第３の電圧比較器Ｕ４も重畳信号を受信せず、第４の増幅器Ｕ４は重畳信号の変化を検出することができ、このとき、第４の増幅器Ｕ４が制御モジュールに第２のレベル信号を出力することにより、受電側機器への電力供給を停止するように制御することを制御モジュールに通知し、例えば、制御モジュールは、給電側機器が現在の給電電源の電力供給を遮断するように制御できるようになる。
【００７１】
なお、上記の図１０において、第１のレベル信号と第２のレベル信号とは、異なる２つのレベル信号である。上記第１のレベル信号は、低レベル信号であってもよく、第２のレベル信号は、高レベル信号であってもよく、ここで、低レベル信号と高レベル信号は相対的な２つの信号であり、つまり、第１のレベル信号は第２のレベル信号に対して低レベル信号であり、第２のレベル信号は第１のレベル信号に対して高レベル信号であり、例えば、第１のレベル信号は０であり、第２のレベル信号は１である。
【００７２】
実現可能な形態において、重畳信号がビデオ信号である場合、プラグイン検出モジュールは、ビデオ信号サンプリングモジュールであってもよく、制御モジュールに接続され、重畳信号をサンプリングすることにより、同軸ケーブルには重畳信号の伝送が存在するか否かを検出し、同軸ケーブルには伝送された重畳信号が存在しない場合、受電側機器への電力供給を停止するように制御することを制御モジュールに通知する。
【００７３】
なお、ユーザの安全を確保し、受電側機器でのユーザによる帯電操作を避けるために、給電側機器にプラグイン検出モジュールを追加する。実際の応用では、信号伝送のプロセスを簡素化し、コストを節約するために、プラグイン検出モジュールを省略することができ、本発明の実施例はこれに対して具体的に限定しない。
【００７４】
（８）制御モジュール１０２８を説明する。制御モジュール１０２８は、電流検出モジュール１０２５、保護モジュール１０２５、第１の検出モジュール１０２４、およびプラグイン検出モジュール１０２６から伝送された通知およびレベル信号を受信し、通知およびレベル信号に基づいて、給電側機器が現在の作動状態を保持する（例えば、受電側機器への電力供給を行う）か、または現在の作動状態を停止する（例えば、受電側機器への電力供給を停止する）ように制御する。制御モジュールは他の作用をさらに有してもよく、当該制御モジュールの他の作用について、上述した実施例に関する説明を参照することができ、本発明はこれに対して説明しない。
【００７５】
以上は給電側機器の構成であり、給電側機器に第１のアクティブインダクタモジュール及び第１のコンデンサモジュールを追加し、第１のアクティブインダクタモジュールは、交流信号に対してハイインピーダンスと表現し、直流信号に対してローインピーダンスと表現する特性を有し、第１のコンデンサモジュールは、直流信号に対してハイインピーダンスと表現し、交流信号に対してローインピーダンスと表現する特性を有するので、同軸ケーブルによって直流信号と重畳信号を同時に伝送するとともに、直流信号が重畳信号に影響を与えないことを保証することができ、重畳信号の伝送品質が保証されるとともに、受電側機器への電力供給も実現された。
【００７６】
［受電側機器１０３］
図１１を参照すると、受電側機器１０３は、第２のアクティブインダクタモジュール１０３１、第２のコンデンサモジュール１０３２、および信号収集モジュール１０３３を含む。
【００７７】
ここで、第２のアクティブインダクタの入力端は、給電側機器に接続され、第２のアクティブインダクタの出力端は、信号収集モジュールの入力端に接続され、第２のコンデンサモジュールの入力端は、信号収集モジュールの出力端に接続され、第２のコンデンサモジュールの出力端は、給電側機器に接続され、以下、受電側機器１０３の各部について説明する。
【００７８】
（１）第２のアクティブインダクタモジュール１０３１を説明する。第２のアクティブインダクタモジュール１０３１は、同軸ケーブルによって給電側機器から伝送された直流信号を受信する。第２のアクティブインダクタモジュールは、交流信号に対してハイインピーダンスと表現し、直流信号に対してローインピーダンスと表現し、つまり、交流を通さず直流を通す機能を有し、したがって、給電側機器が同軸ケーブルによって直流信号を受電側機器に伝送する場合、直流信号は、第２のアクティブインダクタにのみ流れることができ、直流信号の方向性伝送が保証され、直流信号が重畳信号に影響を与えることを避ける。なお、第２のアクティブインダクタモジュールとは、交流信号に対してハイインピーダンスと表現し、直流信号に対してローインピーダンスと表現するモジュールを意味し、すなわち、交流を通さず直流を通す機能を有するモジュールのことであり、その機能はアクティブインダクタに類似し、これは一つのアクティブインダクタであってもよく、複数の電子デバイスからなるモジュールであってもよく、本発明はその内部構造に対して制限しない。ここで、第２のアクティブインダクタモジュールの構成は、第１のアクティブインダクタモジュールの構成と一致し、説明を省略する。
【００７９】
（２）第２のコンデンサモジュール１０３２を説明する。第２のコンデンサモジュール１０３２は、同軸ケーブルによってビデオ重畳信号を給電側機器に送信し、例えば給電側機器の信号処理モジュールに送信する。第２のコンデンサモジュールは、直流信号に対してハイインピーダンスと表現し、交流信号に対してローインピーダンスと表現する特性を有し、つまり、直流を通さず交流を通す機能を有する。重畳信号は交流信号であるため、第２のコンデンサモジュールは、重畳信号の通しのみを許可し、直流信号の通しを禁止し、これにより、直流信号と重畳信号の方向性伝送を確保し、直流信号が伝送中に重畳信号に影響を与えることを避ける。なお、第２のコンデンサモジュールとは、直流信号に対してハイインピーダンスと表現し、交流信号に対してローインピーダンスと表現するモジュールを意味し、すなわち、直流を通さず交流を通す機能を有するモジュールのことであり、その機能はコンデンサに類似し、これは一つのコンデンサであってもよく、複数の電子デバイスからなるモジュールであってもよく、実際の応用では、第２のコンデンサモジュールの実質は、二つのコンデンサ素子であってもよく、本発明の実施例はこれに対して具体的に限定しない。
【００８０】
（３）信号収集モジュール１０３３を説明する。信号収集モジュール１０３３は、重畳信号を収集し、重畳信号を第２のコンデンサモジュールに送信する。
【００８１】
例示的に、重畳信号がビデオ信号である場合、信号収集モジュール１０３３は、ビデオ画像信号を収集し、ビデオ画像信号をフィルタリングモジュール送信し、フィルタリングモジュールは、ビデオ画像信号をフィルタリング処理して重畳信号を取得し、重畳信号を第２のコンデンサモジュールに伝送する。信号収集モジュールの出力端は、フィルタリングモジュールの入力端に接続される。
【００８２】
なお、実際の応用では、受電側機器の安全を保証するために、図１１を参照すると、受電側機器は、フィルタリングモジュール１０３４及び第２の検出モジュール１０３５をさらに含むことができる。第２の検出モジュール１０３５の入力端は、給電側機器に接続され、フィルタリングモジュール１０３４の入力端は、信号収集モジュール１０３３の出力端に接続され、フィルタリングモジュール１０３４の出力端は、同軸ケーブルによって給電側機器に接続される。以下、給電側機器１０２の各部について説明する。
【００８３】
（４）フィルタリングモジュール１０３４を説明する。フィルタリングモジュール１０３４は、受電側機器によって収集されたビデオ画像を受信し、ビデオ画像をフィルタリング処理して重畳信号を取得し、重畳信号を第２のコンデンサモジュールに伝送し、第２のコンデンサモジュールは、重畳信号を給電側機器に伝送する。第２のコンデンサモジュールは、重畳信号の通しのみを許可し、直流信号の通しを禁止するので、第２のコンデンサモジュールによって、重畳信号の方向性伝送を確保し、重畳信号を給電側機器に伝送し、重畳信号が直流信号の干渉を受けることを避ける。当該フィルタリングモジュールは、収集されたビデオ信号におけるノイズをフィルタリングすることにより、得られた重畳信号の品質を向上させるローパスフィルタリングモジュールである。
【００８４】
（５）第２の検出モジュール１０３５を説明する。例示的に、受電側機器が画像撮影用のカメラである場合、第２の検出モジュールを第２のカメラ検出モジュールと呼ぶことができる。
【００８５】
第２の検出モジュール１０３５は、受電側機器に電力を供給する前に、受電側機器の作動パラメータを検出することにより、受電側機器に電力を供給する場合、受電側機器の作動パラメータに基づいて電力を供給し、つまり、当該作動パラメータに基づいて受電側機器への電力供給量の大きさを制御し、受電側機器に印加される電圧が大きすぎて、受電側機器が損傷することを避ける。ここで、作動パラメータは、受電側機器の電圧、パワー、または充電時間などであってもよい。作動パラメータを取得する際には、第２の検出モジュールによる取得プロセスは、第１の検出モジュールが受信側機器の作動パラメータを取得するプロセスと一致するため、ここでは説明を省略する。
【００８６】
なお、本発明に係る信号伝送システムの第１のアクティブインダクタモジュールは、交流信号に対してハイインピーダンスと表現し、直流信号に対してローインピーダンスと表現するので、本発明に係る信号伝送システムは、高精細アナログ重畳信号と直流信号を同時に伝送することができ、同軸ケーブルによって高精細アナログ重畳信号と直流信号を伝送する場合、直流信号が高精細アナログ重畳信号に重畳でき、且つ直流信号が高精細アナログ重畳信号に影響を与えず、高精細アナログ重畳信号の伝送品質が保証される。また、重畳信号は、アナログ重畳信号、デジタル重畳信号、オーディオ信号、その他の非ビデオのアナログ信号などを含むことができるので、本発明は、上記のいずれかの信号の伝送にも適用できる。
【００８７】
本発明の実施例に係る信号伝送システムは、給電側機器の第１のアクティブインダクタモジュールによって直流信号を受電側機器に伝送し、受電側機器の第２のアクティブインダクタモジュールによって直流信号を取得することにより、給電側機器が受電側機器によって収集された重畳信号を受信すると同時に、受電側機器に電力を供給することもでき、受電側機器と交流電源との間で配線する必要がなく、信号伝送システムを確立する作業量を簡素化し、コストを低減する。
【００８８】
上記のすべての選択可能な技術案は、任意の組み合わせで本発明の選択可能な実施例を形成することができ、ここでは説明を省略する。
【００８９】
本発明の実施例による装置は、以下に記載される方法に適用することができ、本発明の実施例における各モジュールの作動フローおよび作動原理について、以下の各実施例の説明を参照する。
【００９０】
図１２は、例示的な実施例による信号伝送方法を示すフローチャートである。図１２を参照すると、当該方法は、信号伝送システムに適用し、以下のステップを含む。
【００９１】
ステップ２０１において、給電電源は、直流信号を給電側機器に出力する。
【００９２】
本発明の実施例において、給電電源は、交流電源とコンバータとを含み、給電電源の出力端は、コンバータの入力端に接続され、コンバータの出力端は、給電側機器に接続される。交流電源は、交流信号をコンバータに伝送し、コンバータは、交流信号を直流信号に変換し、直流信号を給電側機器に出力する。ここで、コンバータは、ＡＣ/ＤＣ変換機器であってもよい。
【００９３】
ステップ２０２において、給電側機器の第１のアクティブインダクタモジュールは、直流信号を受信した後、同軸ケーブルによって直流信号を受電側機器に伝送する。
【００９４】
例示的に、給電側機器に電力を供給する前に、第１の検出モジュールは、受電側機器の作動パラメータを検出し、作動パラメータを制御モジュールに送信し、制御モジュールは、作動パラメータに基づいて受電側機器に対し等級を付けることにより、受電側機器の等級に応じて受電側機器への電力供給を制御し、受電側機器に印加される電圧が大きすぎて、受電側機器が損傷することを避ける。
【００９５】
給電側機器の第１のアクティブインダクタモジュールが直流信号を受信した後、給電側機器が作動状態になる。給電側機器の電源がオンになって作動状態になった後、給電側機器の第１のアクティブインダクタが同軸ケーブルによって給電電源から伝送された直流信号を受電側機器に伝送することにより、受電側機器が通常の作動状態になって、自身の場所に対してビデオ画像の収集を行う。
【００９６】
なお、給電側機器が通常の作動状態になっている場合、給電電源から伝送された直流信号には電流の変動がある可能性があり、電流が大きすぎると給電側機器が損傷しやすくなるため、給電側機器における電流検出モジュールは、給電側機器に流れる電流を継続的に検出し、給電側機器における電流が大きすぎると、給電側機器への電力供給を停止するように直接に制御し、すなわち給電側機器への電力供給を遮断することができ、または、給電側機器への電力供給を停止するように制御することを制御モジュールに通知し、例えば、給電側機器への電力供給を遮断することを給電側機器の制御モジュールに通知する。
【００９７】
さらに、給電側機器における保護モジュールも、給電側機器が作動している場合、回路を継続的に保護し、例えば給電側機器を保護し、保護モジュールは、給電側機器の短絡や受電側機器の短絡が検出された場合、受電側機器への電力供給を停止するように制御し、例えば、保護モジュールは、給電側機器への給電電源の電力供給を遮断することを制御モジュールに通知する。
【００９８】
給電側機器のユーザが、操作ミスにより、給電電源と給電側機器との接続を切断したり、給電側設備の電源をオフにしたりする可能性が高いので、ユーザによる給電側機器の帯電操作を避けるために、給電側機器のプラグイン検出モジュールは、給電側機器のユーザがプラグイン操作を行っていることが検出された場合、制御モジュールに通知することにより、制御モジュールは、給電側機器が現在の給電電源の電力供給を遮断するように制御する。
【００９９】
ステップ２０３において、受電側機器の第２のアクティブインダクタモジュールは、直流信号を受信した後、作動状態になって、重畳信号を取得する。
【０１００】
例示的に、重畳信号を取得することは、ビデオ画像を収集することにより、ビデオ信号を取得することを含むことができ、本発明の実施例において、受電側機器の第２のアクティブインダクタモジュールが同軸ケーブルによって給電側機器から伝送された直流信号を受信した後、作動状態になって、ビデオ画像を収集し、つまり、受電側機器の信号収集モジュールは、その場所のビデオ重畳信号を収集し、当該ビデオ重畳信号は重畳信号である。
【０１０１】
なお、受電側機器に電力を供給する前に、第２の検出モジュールは、受電側機器の作動パラメータを検出することにより、作動パラメータに基づいて受電側機器への電力供給量を制御し、受電側機器に印加される電圧が大きすぎて、受電側機器が損傷することを避ける。
【０１０２】
ステップ２０４において、受電側機器は、同軸ケーブルによって重畳信号を給電側機器に伝送する。
【０１０３】
本発明の実施例において、受電側機器の信号収集モジュールは、収集されたビデオ画像信号を受電側機器のフィルタリングモジュールに伝送し、フィルタリングモジュールは、ビデオ画像信号をフィルタリング処理して重畳信号を生成し、重畳信号を第２のコンデンサモジュールに伝送し、第２のコンデンサモジュールは、重畳信号を給電側機器に伝送する。
【０１０４】
ステップ２０５において、給電側機器は、受信した重畳信号を解析する。
【０１０５】
例えば、重畳信号がビデオ信号である場合、給電側機器は、受信した重畳信号を解析して、ビデオ画像を取得し、直流信号と重畳信号の伝送を完了する。
【０１０６】
本発明の実施例において、重畳信号がビデオ信号である場合、給電側機器における第１のコンデンサモジュールが同軸ケーブルによって受電側機器から伝送された重畳信号を受信した後、給電側機器における信号処理モジュールは、重畳信号を解析してフィルタリングし、この重畳信号を還元してビデオ画像信号を取得することにより、給電側機器に接続され表示装置にビデオ画像信号を表示し、給電側機器と受電側機器との間の信号伝送を完了する。
【０１０７】
なお、第１のコンデンサモジュールは、直流信号に対してハイインピーダンスと表現し、交流信号に対してローインピーダンスと表現する特性を有するので、第１のコンデンサモジュールは、直流信号と重畳信号の方向性伝送を確保し、直流信号が伝送中に重畳信号に影響を与えることを避ける。
【０１０８】
本発明の実施例に係る方法は、給電側機器の第１のアクティブインダクタモジュールによって直流信号を受電側機器に伝送し、受電側機器の第２のアクティブインダクタモジュールによって直流信号を取得することにより、給電側機器が受電側機器によって収集された重畳信号を受信すると同時に、受電側機器に電力を供給することもでき、受電側機器と交流電源との間で配線する必要がなく、信号伝送システムを確立する作業量を簡素化し、コストを低減する。
【０１０９】
説明の便利さおよび簡潔さのために、上述した方法の具体的なステップは、上述した装置の実施例における対応するプロセスおよび作動原理を参照することができ、ここでは説明を省略することが当業者には明らかである。
【０１１０】
図１３は、本発明の実施例によるコンピュータ装置３００の概略構造図である。図１３を参照すると、当該コンピュータ装置３００は、通信バス、プロセッサ、メモリ、及び通信インターフェースを含み、入出力インターフェース、および表示装置をさらに含むことができ、ここで、各機能ユニット間は、バスを介して相互の通信を行うことができる。当該メモリにはコンピュータプログラムが記憶され、プロセッサはメモリに記憶されたコンピュータプログラムを実行し、上述した実施例における信号伝送方法を実行する。
【０１１１】
バスは、説明された要素を接続する回路であり、これらの要素の間で伝送を可能にする。例えば、プロセッサは、バスを介して他の要素からコマンドを受信し、受信したコマンドを復号化し、復号化されたコマンドに従って計算またはデータ処理を実行する。メモリは、カーネル(ｋｅｒｎｅｌ)、ミドルウェア(ｍｉｄｄｌｅｗａｒｅ)、アプリケーションプログラミングインタフェース(Ａｐｐｌｉｃａｔｉｏｎ Ｐｒｏｇｒａｍｍｉｎｇ Ｉｎｔｅｒｆａｃｅ、ＡＰＩ)、アプリケーションなどのプログラムモジュールを含むことができる。当該プログラムモジュールは、ソフトウェア、ファームウェア、またはハードウェア、或いはこれらのうちの少なくとも２つから構成される。入出力インターフェースは、ユーザが入出力デバイス（例えばセンサー、キーボード、タッチスクリーンなど）を介して入力したコマンドまたはデータを転送する。表示装置は、ユーザに対してさまざまな情報を表示する。通信インターフェースは、コンピュータ装置３００を他のネットワークデバイス、ユーザデバイス、およびネットワークに接続する。例えば、通信インターフェースは、有線または無線でネットワークに接続することにより、他の外部ネットワークデバイスまたはユーザデバイスに接続することができる。無線通信は、ワイヤレスフィデリティ（Ｗｉｒｅｌｅｓｓ Ｆｉｄｅｌｉｔｙ、ＷｉＦｉ）、ブルートゥース（登録商標）（Ｂｌｕｅｔｏｏｔｈ（登録商標）、ＢＴ）、近距離無線通信技術（Ｎｅａｒ Ｆｉｅｌｄ Ｃｏｍｍｕｎｉｃａｔｉｏｎ、ＮＦＣ）、全地球測位システム（Ｇｌｏｂａｌ Ｐｏｓｉｔｉｏｎｉｎｇ Ｓｙｓｔｅｍ、ＧＰＳ）、セルラー通信（ｃｅｌｌｕｌａｒ ｃｏｍｍｕｎｉｃａｔｉｏｎ）（たとえば、ロングタームエボリューション（Ｌｏｎｇ Ｔｅｒｍ Ｅｖｏｌｕｔｉｏｎ 、ＬＴＥ）、ＬＴＥアドバンスト（Ｌｏｎｇ Ｔｅｒｍ Ｅｖｏｌｕｔｉｏｎ-Ａｄｖａｎｃｅｄ、ＬＴＥ-Ａ）、符号分割多元接続（Ｃｏｄｅ Ｄｉｖｉｓｉｏｎ Ｍｕｌｔｉｐｌｅ Ａｃｃｅｓｓ、ＣＤＭＡ）、広帯域符号分割多元接続（Ｗｉｄｅｂａｎｄ  ＣＤＭＡ、ＷＣＤＭＡ（登録商標））、ユニバーサル移動体通信システム（Ｕｎｉｖｅｒｓａｌ Ｍｏｂｉｌｅ Ｔｅｌｅｃｏｍｍｕｎｉｃａｔｉｏｎ Ｓｙｓｔｅｍ、ＵＭＴＳ）、ワイヤレスブロードバンド（Ｗｉｒｅｌｅｓｓ Ｂｒｏａｄｂａｎｄ、Ｗｉｂｒｏ）、およびモバイル通信用グローバルシステム（Ｇｌｏｂａｌ Ｓｙｓｔｅｍ ｆｏｒ Ｍｏｂｉｌｅ ｃｏｍｍｕｎｉｃａｔｉｏｎ、ＧＳＭ（登録商標）））のうちの少なくとも１つを含むことができる。有線通信は、ユニバーサル・シリアル・バス（Ｕｎｉｖｅｒｓａｌ Ｓｅｒｉａｌ Ｂｕｓ、ＵＳＢ）、高精細度マルチメディア・インターフェース（Ｈｉｇｈ Ｄｅｆｉｎｉｔｉｏｎ Ｍｕｌｔｉｍｅｄｉａ Ｉｎｔｅｒｆａｃｅ、ＨＤＭＩ（登録商標））、非同期伝送標準インターフェース（Ｒｅｃｏｍｍｅｎｄｅｄ Ｓｔａｎｄａｒｄ ２３２、ＲＳ-２３２）、および基本電話サービス（Ｐｌａｉｎ Ｏｌｄ Ｔｅｌｅｐｈｏｎｅ Ｓｅｒｖｉｃｅ、ＰＯＴＳ）のうちの少なくとも１つを含むことができる。ネットワークは、電気通信ネットワークおよび通信ネットワークであってもよい。通信ネットワークは、コンピュータネットワーク、インターネット、モノのネットワーク、電話ネットワークであってもよい。コンピュータ装置３００は、通信インターフェースを介してネットワークに接続することができ、コンピュータ装置３００および他のネットワーク装置の通信に使用されるプロトコルは、アプリケーション、アプリケーションプログラミングインターフェース（Ａｐｐｌｉｃａｔｉｏｎ Ｐｒｏｇｒａｍｍｉｎｇ Ｉｎｔｅｒｆａｃｅ、ＡＰＩ）、ミドルウェア、カーネル、および通信インターフェースのうちの少なくとも１つによってサポートされる。
【０１１２】
前記記憶媒体内のコマンドが信号伝送装置のプロセッサによって実行されるとき、非一時的なコンピュータ可読記憶媒体は、信号伝送装置に上記信号伝送方法を実行させる。
【０１１３】
なお、本発明の実施例における接続は、直接接続または間接接続を指す。
【０１１４】
当業者であれば、本明細書を考慮し且つ本明細書に開示された発明を実践した後、本明細書に開示された他の実施形態を容易に想到することができる。本発明は、本発明のいかなる変形、用途または適応性の変化をカバーすることを目的とし、これらの変形、用途または適応性の変化は、本発明の一般的な原理に従い、本発明に開示されていない技術分野における公知の常識または慣用技術手段を含む。明細書および実施例は単なる例示とみなされ、本明細書の真の範囲および精神は、以下の特許請求の範囲によって示される。
【０１１５】
本発明は、以上で説明された添付の図面に示されている正確な構成に限定されるものではなく、その範囲から逸脱することなく様々な修正および変更が可能であることが理解されるべきである。本発明の範囲は、添付の特許請求の範囲によってのみ制限される。
【符号の説明】
【０１１６】
102  給電側機器
1011  交流電源
1012  コンバータ
1021  第１のアクティブインダクタモジュール
1023  信号処理モジュール
1024  第１の検出モジュール
1025  電流検出モジュール
1026  保護モジュール
1027  プラグイン検出モジュール
1028  制御モジュール
1031  第２のアクティブインダクタモジュール
1033  信号収集モジュール
1034  フィルタリングモジュール
1035  第２の検出モジュール
【図１】
0006976440.tif 000003
【図２】
0006976440.tif 000004
【図３】
0006976440.tif 000005
【図４】
0006976440.tif 000006
【図５】
0006976440.tif 000007
【図６】
0006976440.tif 000008
【図７】
0006976440.tif 000009
【図８】
0006976440.tif 000010
【図９】
0006976440.tif 000011
【図１０】
0006976440.tif 000012
【図１１】
0006976440.tif 000013
【図１２】
0006976440.tif 000014
【図１３】
0006976440.tif 000015